(57)【要約】【課題】１つまたは複数の蛍光ランプを動作させる共振インバータ回路に関連する特定の用途を提供する。【解決手段】  安定器が、それぞれ１対の電極を含むランプを動作させる。高周波共振回路が、高周波バスを生成し、この共振回路は、各ランプの電極に動作可能に結合するように構成され、共振インダクタおよび共振キャパシタンスを含む。【選択図】図１
2009525567.tif 000002
【特許請求の範囲】
【請求項１】
それぞれ１対の電極を含むランプを動作させるための安定器であって、
高周波バスを生成する高周波共振回路を含み、前記共振回路が、各ランプの前記電極に動作可能に結合するように構成され、共振インダクタおよび共振キャパシタンスを含む安定器。
【請求項２】
各ランプが、関連するバラストコンデンサを介して前記高周波バスに動作可能に結合される、請求項１記載の安定器。
【請求項３】
前記共振回路内に交流電流を誘起させるために、前記共振器回路に動作可能に結合されたインバータをさらに含む、請求項１記載の安定器。
【請求項４】
前記インバータが、
前記共振回路によって生成された発振信号を受け取るために、共通ノードに互いに接続された類似の第１および第２のスイッチを含み、前記発振信号が、前記第１および第２のスイッチのスイッチング速度を決定する、請求項３記載の安定器。
【請求項５】
前記インバータが、
それぞれが、それぞれの第１または第２のスイッチを制御する第１および第２のゲート制御回路をさらに含み、それぞれのゲート制御回路が、
前記共通ノードと制御ノードの間に動作可能に接続され、前記共振インダクタに相互結合されている駆動インダクタと、
前記駆動インダクタおよび制御ノードに動作可能に直列接続された２次インダクタとを含む、請求項４記載の安定器。
【請求項６】
前記２次インダクタに動作可能に結合された３次インダクタと、
前記３次インダクタの両端間に動作可能に接続されたフルブリッジ整流器と、
前記３次インダクタおよび２次インダクタの両端間の電圧をクランプする、前記ブリッジ整流器の出力線に動作可能に接続された１対の直列接続されたツェナダイオードと、
前記インバータが発振したときに充電される、前記フルブリッジ整流器の前記出力線に動作可能に結合された充電コンデンサと、
前記３次インダクタおよび２次インダクタの両端間の電圧が、前記充電コンデンサが充電されている間よりも低い値にクランプされるように、前記充電コンデンサが前記スイッチの閾値電圧に充電されたときにターンＯＮし、前記ツェナダイオードのうちの少なくとも１つをドレインする（ｄｒａｉｎｓ）スイッチとをさらに含む、請求項５記載の安定器。
【請求項７】
前記スイッチが、ｎ型デバイスを含む、請求項４記載の安定器。
【請求項８】
前記スイッチが、ｐ型デバイスを含む、請求項４記載の安定器。
【請求項９】
前記共通ノードに対する前記制御ノードの電圧の正負エクスカーションを制限するための、それぞれ前記共通ノードと制御ノードの間に動作可能に接続された第１および第２の双方向電圧クランプをさらに含む、請求項４記載の安定器。
【請求項１０】
前記２次インダクタに相互結合された３次インダクタと、
前記３次インダクタおよび２次インダクタに動作可能に並列接続された補助電圧クランプとをさらに含み、前記補助電圧クランプが、前記共通ノードに対する前記制御ノードの電圧の正負エクスカーションを制限する、請求項９記載の安定器。
【請求項１１】
事前に選択された電流量が前記ランプの前記電極に供給されるように、前記補助電圧クランプのクランピングを制御するコントローラをさらに含む、請求項１０記載の安定器。
【請求項１２】
前記第１および第２の双方向電圧クランプが省略される、請求項９記載の安定器。
【請求項１３】
入力電圧源からの入力を受け取るように動作可能に接続された抵抗起動回路網をさらに含み、前記抵抗起動回路網が、インバータ起動中に前記入力電圧を使用して前記インバータを充電する、請求項２記載の安定器。
【請求項１４】
前記ランプが、
線形蛍光ランプ、
小型蛍光ランプ、および
高輝度放電ランプ
のうちの少なくとも１つを含む、請求項１記載の安定器。
【請求項１５】
それぞれ１対の電極を含む容量結合された並列ランプを動作させるための安定器であって、
各ランプの前記電極に動作可能に結合するように構成された高周波バスを生成する高周波共振回路と、
前記共振回路内に交流電流を誘起させるために、前記共振器回路に動作可能に結合されたインバータとを含み、前記インバータ回路が、
前記共振回路によって生成された発振信号を受け取るために共通ノードに互いに接続された類似の第１および第２のスイッチであって、前記発振信号が前記スイッチ対のスイッチング速度を決定する第１および第２のスイッチと、
それぞれが前記共通ノードと制御ノードの間に動作可能に接続され、前記共振回路に相互結合されている第１および第２の駆動インダクタと、
前記制御ノードと、対応する第１および第２の駆動インダクタとに動作可能に直列接続された第１および第２の２次インダクタであって、第１および第２の駆動インダクタと第１および第２の２次インダクタのそれぞれの対が、前記共通ノードに方形波が生成されるように、前記類似のスイッチを駆動するように協働する第１および第２の２次インダクタと、
入力電圧源からの入力を受け取るように接続された抵抗起動回路網であって、インバータ起動中に前記入力電圧を使用して前記インバータを充電する抵抗起動回路網と
を含む安定器。
【請求項１６】
前記スイッチが、ｎ型デバイスを含む、請求項１５記載の安定器。
【請求項１７】
前記スイッチが、ｐ型デバイスを含む、請求項１５記載の安定器。
【請求項１８】
前記２次インダクタに相互結合された３次インダクタと、
事前に選択された電流量が前記ランプの前記電極に送出されるように、前記３次インダクタの両端間の電圧を制御するコントローラとをさらに含む、請求項１５記載の安定器。
【請求項１９】
前記コントローラが、
前記３次インダクタの両端間に動作可能に接続されたフルブリッジ整流器と、
前記３次インダクタおよび２次インダクタの両端間の電圧をクランプする、前記フルブリッジ整流器の出力線に動作可能に接続された１対の直列接続されたツェナダイオードと、
前記インバータが発振したときに充電される、前記フルブリッジ整流器の前記出力線に動作可能に結合された充電コンデンサと、
前記３次インダクタおよび２次インダクタの両端間の電圧が、前記充電コンデンサが充電されている間よりも低い値にクランプされるように、前記充電コンデンサが前記スイッチの閾値電圧に充電されたときにターンＯＮし、前記ツェナダイオードのうちの少なくとも１つをドレインするスイッチとを含む、請求項１８記載の安定器。
【請求項２０】
容量結合された並列ランプを動作させるための安定器であって、
各ランプが、関連するバラストコンデンサを介して動作可能に結合され、共振インダクタンスと、少なくとも前記バラストコンデンサを含む共振キャパシタンスとを含む高周波バスを生成する共振負荷回路と、
前記共振負荷回路内に交流電流を誘起させるために、前記共振負荷回路に動作可能に結合されたインバータ回路とを含み、前記インバータ回路が、
正導体とグラウンド導体との間に直列接続され、前記交流負荷電流が流れる共通ノードに互いに接続されている、それぞれ制御ノードおよび共通ノードを含む第１および第２のスイッチと、
前記第１および第２のスイッチを再生可能に制御するゲート駆動回路とを含み、前記ゲート駆動回路が、
前記共通ノードと制御ノードの間に接続されている、前記共振負荷回路内での前記交流負荷電流の瞬時変化率に比例する電圧をその中に誘起するように前記共振インダクタに相互結合された第１および第２の駆動インダクタと、
それぞれ第１または第２の駆動インダクタおよび前記制御ノードに直列接続された第１および第２の２次インダクタと、
前記第１および第２の２次インダクタに相互結合された３次インダクタと、
前記３次インダクタおよび２次インダクタに並列接続された、事前に選択された電流量が前記ランプに供給されるように前記３次インダクタおよび２次インダクタの電圧をクランプする電圧クランプとを含む安定器。
【発明の詳細な説明】
【技術分野】
【０００１】
本出願は、電子安定器（ｅｌｅｃｔｒｏｎｉｃ  ｂａｌｌａｓｔ）を対象とする。本出願は、１つまたは複数の蛍光ランプを動作させる共振インバータ回路に関連する特定の用途を見出すとともに、特にそれに関して記述される。しかし、下記は、高輝度放電（ＨＩＤ）ランプなどにも適用できることが理解されるべきである。
【背景技術】
【０００２】
安定器は、電気ランプなどの負荷に電力を供給するとともに、負荷に供給される電流を調整するために使用される電気装置である。安定器は、アークが維持されかつ成長するのに十分なプラズマ（蒸気）をイオン化することによってランプを起動させるために、高電圧を生成する。アークが確立された後、安定器は、ランプに適切な制御された電流を供給することにより、ランプが継続して動作できるようにする。
【０００３】
典型的には、電源からの交流（ＡＣ）電圧が整流され適切に調整された後、インバータは、直流電圧を交流に変換する。インバータは一般に、駆動ゲート制御回路によって制御されて「ＯＮ」または「ＯＦＦ」となるＭＯＳＦＥＴなどの１対の直列接続されたスイッチを含む。
【特許文献１】米国特許第５４７９０７４号
【発明の開示】
【発明が解決しようとする課題】
【０００４】
並列接続された複数の蛍光ランプを動作させるための一手法が、単一ランプを駆動するのと同様の設計を使用することであり、この設計では、各ランプが専用インバータで動作し、たとえばｎ個のランプがｎ個のインバータを必要とする。しかし、この手法はコストがかかる。
【０００５】
以下では、上述の問題などを克服する新しい手法および装置について検討する。
【課題を解決するための手段】
【０００６】
それぞれ１対の電極を含むランプを動作させるための安定器が開示される。高周波共振回路が、高周波バス（ｈｉｇｈ  ｆｒｅｑｕｅｎｃｙ  ｂｕｓ）を生成し、この共振回路は、各ランプの電極に動作可能に結合する（ｏｐｅｒａｔｉｏｎａｌ  ｃｏｕｐｌｉｎｇ）ように構成され、共振インダクタおよび共振キャパシタンスを含む。
【発明を実施するための最良の形態】
【０００７】
図１を参照すると、安定器回路６は、インバータ回路８、共振回路または共振回路網１０、およびクランプ回路１２を含む。直流電圧が、正電圧端子１６から走る電圧導体１４と接地端子または共通端子２０に接続された共通導体１８とを経由してインバータ８に供給される。高周波バス２２は、以下により詳細に説明するように、共振回路１０によって生成される。第１、第２、・・・、第ｎのランプ２４、２６、・・・、２８が、第１、第２、・・・、第ｎのバラストコンデンサ（ｂａｌｌａｓｔｉｎｇ  ｃａｐａｃｉｔｏｒ）３０、３２、・・・、３４を介して高周波バスに結合される。したがって、１つのランプが取り除かれても、他が動作し続ける。任意の数のランプが高周波バス２２に接続されうると考えられる。たとえば、各ランプ２４、２６、・・・、２８は、関連するバラストコンデンサ３０、３２、・・・、３４を介して高周波バス２２に結合される。各ランプ２４、２６、・・・、２８への電力は、それぞれのランプコネクタ３６、３８を経由して供給される。
【０００８】
インバータ８は、共振回路１０を励起するために、類似の上方および下方スイッチすなわち第１および第２のスイッチ４０および４２、たとえば導体１４および１８間に直列接続された２つのｎチャネルＭＯＳＦＥＴ装置（図示）を含む。２つのＰチャネルＭＯＳＦＥＴが構成されてもよい。高周波バス２２は、インバータ８および共振回路１０によって生成され、共振インダクタ４４、ならびに第１、第２および第３のコンデンサ４６、４８、５０と、ランプ２４、２６、・・・、２８に流れる直流電流の阻止も行うバラストコンデンサ３０、３２、・・・、３４との等価を含む等価の共振キャパシタンスを含む。バラストコンデンサ３０、３２、・・・、３４は、主にバラストコンデンサとして使用される。
【０００９】
スイッチ４０および４２は、共振回路１０を励起するために、共通すなわち第１のノード５２に方形波を生成するように協働する。スイッチ４０および４２から走るゲートすなわち制御線５４および５６が、制御ノードすなわち第２のノード５８に接続される。各制御線５４、５６は、それぞれ抵抗６０、６２を含む。
【００１０】
引き続き図１を参照すると、概して示されている第１および第２のゲート駆動回路６４、６６が、ノード５２、５８間に接続されかつ第１および第２の駆動インダクタ６８、７０を含み、第１および第２の駆動インダクタ６８、７０は、その中に共振回路１０内の電流の瞬時変化率に比例する電圧を誘起するように、共振インダクタ４４に相互結合された２次巻線である。第１および第２の２次インダクタ７２、７４が、それぞれ第１および第２の駆動インダクタ６８、７０とゲート制御線５４および５６とに直列接続される。ゲート駆動回路６４、６６は、それぞれ上部スイッチ４０および下部スイッチ４２の動作を制御するために使用される。より詳細には、ゲート駆動回路６４、６６は、上部スイッチ４０を最初の半周期の間「ＯＮ」に、下部スイッチ４２を２番目の半周期の間「ＯＮ」に維持する。方形波は、ノード５２に生成され、共振回路１０を励起するために使用される。第１および第２の双方向電圧クランプ（ｂｉ−ｄｉｒｅｃｔｉｏｎａｌ  ｖｏｌｔａｇｅ  ｃｌａｍｐ）７６、７８がそれぞれ、それぞれ１対の背中合せのツェナダイオードを含む２次インダクタ７２、７４に並列接続される。双方向電圧クランプ７６、７８は、ゲート−ソース間電圧の正負エクスカーション（ｐｏｓｉｔｉｖｅ  ａｎｄ  ｎｅｇａｔｉｖｅ  ｅｘｃｕｒｓｉｏｎｓ）を、背中合せツェナダイオードの電圧定格によって決定されるそれぞれの限度にクランプする働きをする。各双方向電圧クランプ７６、７８は、それぞれの第１または第２の２次インダクタ７２、７４と協働し、その結果、共振回路１０の両端間の電圧の基本周波数成分と共振インダクタ４４内の交流電流との間の位相角は、ランプの点火中にゼロに近づく。
【００１１】
直列接続された抵抗器８０、８２は、ゲート駆動回路６４、６６の再生動作を開始するために、共通ノード５２と共通導体１８の間に接続された抵抗器８４と協働する。上部および下部コンデンサ９０、９２は、それぞれ第１および第２の２次インダクタ７２、７４と直列に接続される。起動プロセスでは、コンデンサ９０は、電圧端子１６から抵抗器８０、８２、８４を経由して充電される。抵抗器９４は、コンデンサ９２に分路を作って、コンデンサ９２が充電されないようにする。これは、スイッチ４０および４２が初期に同時にターンＯＮするのを防ぐ。コンデンサ９０の両端間の電圧は、初期にゼロであり、起動プロセスの間、直列接続されたインダクタ６８および７２は、コンデンサ９０を充電する時定数が比較的長いため、本質的に短絡回路として働く。コンデンサ９０がスイッチ４０のゲート−ソース間電圧の閾値電圧（たとえば２〜３ボルト）に充電されたときに、スイッチ４０はターンＯＮし、それによりスイッチ４０にわずかなバイアス電流が流れる。派生電流は、スイッチ４０の共通ドレインにバイアスをかける（Ａ級増幅器構成）。これは、十分な利得の増幅器をもたらし、したがって、共振回路１０とゲート制御回路６４の組合せは、インバータを起動してコンデンサ９０およびインダクタ７２を含む回路網の共振周波数に近い発振状態にする再生作用を引き起こす。生成された周波数は、共振回路１０の共振周波数よりも高く、それによって、インバータ８は、共振回路網１０の共振周波数よりも高い周波数で動作することができる。これは、共通ノード５２に生成された電圧の基本波に遅れる共振電流を生成して、インバータ８は、ランプを点灯する前にソフトスイッチングモードで動作できるようになる。したがって、インバータ８は、線形モードで動作し始め、Ｄ級スイッチングモードに移行する。次いで、電流が共振回路１０を通って増大するにつれて、高周波バス２２の電圧は、ソフトスイッチングモードを維持しながら増大してランプを点灯させ、点灯の間中、ランプを導通状態であるアークモードにする。
【００１２】
安定器回路６が定常動作の間、共通ノード５２の電圧は、方形波であり、正端子１６の電圧の約２分の１である。コンデンサ９０に一旦存在したバイアス電圧は、低下する。動作周波数は、コンデンサ９０およびインダクタ７２を含む第１の回路網９６とコンデンサ９２およびインダクタ７４を含む第２の回路網９８とが同等に誘導性であるようなものである。すなわち、動作周波数は、同一の第１および第２の回路網９６、９８の共振周波数よりも高い。これは、ゲート回路の適切な位相シフトをもたらして、インダクタ４４に流れる電流が、共通ノード５２に生成された電圧の基本周波数に遅れることを可能にする。したがって、インバータ８のソフトスイッチングが、定常状態の間に維持される。
【００１３】
引き続き図１を参照すると、インバータ８の出力電圧は、クランプ回路１２の直列接続されたクランピングダイオード１００、１０２によってクランプされて、ランプ２４、２６、・・・、２８を起動するために生成される高電圧を制限する。クランプ回路１２は、本質的に互いに並列接続された第２および第３のコンデンサ４８、５０をさらに含む。各クランピングダイオード１００、１０２は、関連する第２のコンデンサ４８または第３のコンデンサ５０の両端間に接続される。ランプが起動する前には、ランプの回路は開である。というのは、各ランプ２４、２６、・・・、２８のインピーダンスが、非常に高いインピーダンスであると考えられるからである。共振回路１０は、コンデンサ３０、３２、・・・、３４、４６、４８、５０および共振インダクタ４４からなり、共振付近で駆動される。共通ノード５２での出力電圧が増大したときには、クランピングダイオード１００、１０２がクランプし始めて、第２および第３のコンデンサ４８、５０の両端間の電圧の符号が変わらないようにするとともに、出力電圧をインバータ８の構成要素の過熱の原因とならない値に制限する。クランピングダイオード１００、１０２が第２および第３のコンデンサ４８、５０をクランプしているときに、共振回路１０は、コンデンサ３０、３２、・・・、３４、４６と共振インダクタ４４とで構成されるようになる。たとえば、共振は、クランピングダイオード１００、１０２が導通していないときに達成される。ランプが点灯したとき、インピーダンスは瞬時に低下する。それに応じて共通ノード５２での電圧も低下する。クランピングダイオード１００、１０２は、第２および第３のコンデンサ４８、５０のクランピングを中止し、安定器６は定常動作に入る。共振は、コンデンサ３０、３２、・・・、３４、４６、４８、５０および共振インダクタ４４によって再び影響を受ける。
【００１４】
上述のように、インバータ８は、スイッチ４０、４２のソフトスイッチング条件を維持しながら、共通ノード５２に高周波バスを生成する。インバータ８は、残りのランプが点灯されるときに、単一ランプを起動することができる。というのは、高周波バスに十分な電圧があり、点灯を可能にするからである。
【００１５】
図２および３を参照すると、３次回路９８が、インバータ回路８に結合される。より具体的には、３次巻線すなわちインダクタ１１０が、第１および第２の２次インダクタ７２、７４に相互結合される。この実施形態では、第１および第２の双方向電圧クランプ７６、７８は、必要に応じて省略される。第１および第２のツェナダイオード１１４、１１６を含む補助すなわち第３の電圧クランプ１１２は、３次インダクタ１１０に並列接続される。３次インダクタ１１０は第１および第２の２次インダクタ７２、７４に相互結合されているため、補助電圧クランプ１１２は、第１および第２のゲート回路６４、６６を同時にクランプする。
【００１６】
電圧クランプ１１２のツェナダイオード１１４、１１６の異なる値は、安定器６がランプ２４、２６、・・・、２８に供給される電流を変化させ、続いて電力を変化させるようにするのに有用である。当技術分野で知られるように、瞬時起動式安定器（ｉｎｓｔａｎｔ  ｓｔａｒｔ  ｂａｌｌａｓｔ）では、ランプ動作の初期モードはグローである。グローモードでは、ランプ電極の両端間の電圧は高く、たとえば３００Ｖである。ランプに流れる電流は、通常は運転電流よりも低く、たとえば１８０ｍＡの代わりに４０または５０ｍＡである。電極は加熱し、熱電子になる。電極が熱電子になると、電極は、電子を放出してプラズマになり、ランプが点灯する。ランプが点灯すると、異なる電力量が各安定器に送出される。というのは、各安定器が、公称電流で異なるレベルの公称電流を流すからである。
【００１７】
たとえば、ランプ２４、２６、・・・、２８が点灯している間、３次巻線１１０の制限電圧（ｃｌａｍｐｉｎｇ  ｖｏｌｔａｇｅ）が増大して、より大きなグロー出力を可能にする。ランプが起動した後、電圧はフォールドバックされ（ｆｏｌｄｅｄ  ｂａｃｋ）て、適切な定常電流が流れるようにすることができる。この機能は、コントローラ１２０によって実施されうる。
【００１８】
より具体的には、点灯前に、コンデンサ１２２が放電されて、ＭＯＳＦＥＴなどのスイッチ１２４を「ＯＦＦ」状態にする。インバータ８が発振し始めたとき、コンデンサ１２２は、全波ブリッジ整流器１３０の出力線１２６、１２８を介して充電される。３次巻線１１０は、ブリッジ１３０の出力線１２６、１２８に結合されている、直列接続された第１および第２のツェナダイオード１１４、１１６によってクランプされる。コンデンサ１２２がＭＯＳＦＥＴ１２４の閾値電圧に充電されたときに、ＭＯＳＦＥＴ１２４はターンＯＮして、ＭＯＳＦＥＴ１２４のドレイン端子とソース端子の間に接続されている第２のツェナダイオード１１６から電流を分流させる。コンデンサ１２２は抵抗器１４０と直列に接続されているので、コンデンサ１２２がＭＯＳＦＥＴ１２４の閾値電圧に充電されるのに時間がかかる。抵抗器１４２が、ＭＯＳＦＥＴ１２４のソース端子およびバック接点に接続される。第３のツェナダイオード１４４が、ＭＯＳＦＥＴ１２４のバック端子、およびコンデンサ１２２と抵抗器１４０の間の点１４６に直列接続される。抵抗器１４８が、抵抗器１４０およびコンデンサ１２２に並列接続される。したがって、３次巻線１１０の電圧制限が高いほど、ランプ２４、２６、・・・、２８が起動するまでに、より大きなグロー出力を達成できるようになる。たとえば約０．５〜１．０秒の時間の後、ＭＯＳＦＥＴ１２４がターンＯＮすることにより、３次巻線１１０は、より低い電圧にクランプされる。これにより、より低い定常ランプ出力を達成することができる。したがって、ツェナダイオード１１４、１１６による３次巻線１１０の電圧制限のスイッチングなどの制限電圧のスイッチングは、グロー段階の間にランプ２４、２６、・・・、２８に印加される電力を増大させるが、この電力をフォールドバックすることにより、ランプ２４、２６、・・・、２８は、ランプ２４、２６、・・・、２８の通常の所定の電力レベルで動作することができる。
【００１９】
通常瞬時起動機能（ｎｏｒｍａｌ  ｉｎｓｔａｎｔ  ｓｔａｒｔ  ｆｕｎｃｔｉｏｎ）およびさまざまな所定の定常電力限界（ｓｔｅａｄｙ−ｓｔａｔｅ  ｐｏｗｅｒ  ｌｉｍｉｔ）の設定に加えて、３次巻線１１０を制御することにより、安定器６は、異なる安定器係数（ｂａｌｌａｓｔ  ｆａｃｔｏｒ）のさまざまな用途でプログラム起動式安定器、高速起動式安定器、または瞬時起動式安定器として使用されうる。
【００２０】
適用例について、好ましい実施形態を参照しながら説明してきた。明らかに、当業者なら、前記の詳細な説明を読んで理解したときに、変形形態および代替形態に気付くであろう。適用例は、そのような変形形態および代替形態をすべて含むものとして構成されるものとする。
【図面の簡単な説明】
【００２１】
【図１】ランプを駆動するための安定器の概略図である。
【図２】３次巻線を含む、ランプを駆動するための安定器の概略図である。
【図３】図２の安定器の一部の概略図である。
【符号の説明】
【００２２】
２６  第２のランプ
４０  第１のスイッチ
４２  第２のスイッチ
４４  共振インダクタ
４６  第１のコンデンサ
４８  第２のコンデンサ
５０  第３のコンデンサ
６０、６２  抵抗器
６８  第１の駆動インダクタ
７０  第２の駆動インダクタ
７２  第１の２次インダクタ
７４  第２の２次インダクタ
７６  第１の双方向電圧クランプ、ダイオードクランプ
７８  第２の双方向電圧クランプ、ダイオードクランプ
８０、８２、８４  抵抗器
９０、９２  コンデンサ
９４  抵抗器
１００、１０２  クランピングダイオード
１１０  ３次巻線、インダクタ
１１２  第３の電圧クランプ、補助電圧クランプ
１１４  第１のツェナダイオード
１１６  第２のツェナダイオード
１２２  コンデンサ
１２４  スイッチ
１３０  全波ブリッジ整流器、ブリッジダイオード
１４０、１４２  抵抗器
１４４  第３のツェナダイオード
１４６  ポイント
【図１】
2009525567.tif 000003
【図２】
2009525567.tif 000004
【図３】
2009525567.tif 000005
【国際調査報告】
2009525567.tif 000006
2009525567.tif 000007
2009525567.tif 000008